(57)【要約】【課題】ユーザに煩わしい作業を強いることなく、有益な広告を選定してユーザに提案し、有効に広告を提供する。【解決手段】広告情報提供サーバ１０が、ユーザ情報を記憶するユーザＤＢ１１と、広告情報と、広告の提供対象とするユーザの属性を示す広告対象ユーザ属性情報とを含む広告関連情報を記憶する広告関連ＤＢ１２とを備え、ユーザ端末３１からの要求に応じて、ユーザ端末３１を管理するユーザＡについてのユーザ情報を特定し、ユーザＡの属性に合致する属性を示す広告対象ユーザ属性情報を含む広告関連情報を抽出し、広告関連情報に含まれている１又は２以上の広告情報をユーザ端末３１に提示し、提示した広告情報のうちどの広告情報の閲覧を希望するかを示す閲覧希望通知をユーザ端末３１から受け付け、閲覧希望通知によって特定される閲覧希望された広告情報をユーザ端末３１に提供する。【選択図】図８
2011065531.tif 000002
【特許請求の範囲】
【請求項１】
ユーザ端末からの要求に応じて通信ネットワークを介して広告情報を提供する広告情報提供サーバであって、
ユーザ情報を記憶するユーザ情報記憶手段と、
広告情報と、該広告情報による広告の提供対象とするユーザの属性を示す広告対象ユーザ属性情報とを含む広告関連情報を記憶する広告関連情報記憶手段と、
前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、
該広告関連情報抽出手段によって抽出された広告関連情報に含まれている１又は２以上の広告情報を前記ユーザ端末に提示する広告情報提示手段と、
該広告情報提示手段によって提示された広告情報のうちどの広告情報の閲覧を希望するかを示す閲覧希望通知を前記ユーザ端末から受け付ける閲覧希望通知受付手段と、
該閲覧希望通知受付手段が閲覧希望通知を受け付けたことに応じて、閲覧希望通知によって特定される閲覧希望された広告情報を前記ユーザ端末に提供する広告情報提供手段とを含む
ことを特徴とする広告情報提供サーバ。
【請求項２】
前記広告対象ユーザ属性情報は、広告の提供対象とするユーザの属性と、優先度とが対応付けされた情報であり、
前記広告関連情報抽出手段は、ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出する
請求項１記載の広告情報提供サーバ。
【請求項３】
前記広告関連情報抽出手段は、広告関連情報が前記予定数以上抽出されるまで、高い優先度に順次更新される前記基準優先度を用いて広告関連情報を繰り返し抽出する
請求項２記載の広告情報提供サーバ。
【請求項４】
商品の購入履歴を示す商品購入履歴情報を記憶する商品購入履歴情報記憶手段と、
マーケティング対象商品を受け付けるマーケティング対象商品受付手段と、
前記商品購入履歴情報及びユーザ情報を参照し、前記マーケティング対象商品の販売履歴から導出可能な当該マーケティング対象商品に関する販売実績情報を示す商品販売関連情報を生成する商品販売関連情報生成手段と、
前記商品販売関連情報を含むマーケティング情報を生成するマーケティング情報生成手段とを含む
請求項１から請求項３のうちいずれかに記載の広告情報提供サーバ。
【請求項５】
前記商品販売関連情報生成手段は、前記マーケティング対象商品についての年齢別の販売数または販売割合、前記マーケティング対象商品についての年齢層毎の販売数または販売割合、前記マーケティング対象商品についての年齢別かつ男女別の販売数または販売割合、前記マーケティング対象商品についての地域別の販売数または販売割合のうちいずれかを商品販売関連情報として生成する
請求項４記載の広告情報提供サーバ。
【請求項６】
ユーザ端末と、該ユーザ端末からの要求に応じて通信ネットワークを介して広告情報を提供する広告情報提供サーバとを備えた広告情報提供システムであって、
前記広告情報提供サーバは、
ユーザ情報を記憶するユーザ情報記憶手段と、
広告情報と、該広告情報による広告の提供対象とするユーザの属性を示す広告対象ユーザ属性情報とを含む広告関連情報を記憶する広告関連情報記憶手段と、
前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、
該広告関連情報抽出手段によって抽出された広告関連情報に含まれている１又は２以上の広告情報を前記ユーザ端末に提示する広告情報提示手段と、
該広告情報提示手段によって提示された広告情報のうちどの広告情報の閲覧を希望するかを示す閲覧希望通知を前記ユーザ端末から受け付ける閲覧希望通知受付手段と、
該閲覧希望通知受付手段が閲覧希望通知を受け付けたことに応じて、閲覧希望通知によって特定される閲覧希望された広告情報を前記ユーザ端末に提供する広告情報提供手段とを含む
ことを特徴とする広告情報提供システム。
【請求項７】
ユーザ端末からの要求に応じて通信ネットワークを介して広告情報を提供させるための広告情報提供プログラムであって、
コンピュータに、
前記ユーザ端末からの要求に応じて、ユーザ情報を記憶するユーザ情報記憶手段に記憶された当該ユーザ情報のうち前記ユーザ端末を管理するユーザについてのユーザ情報を特定し、広告情報と、該広告情報による広告の提供対象とするユーザの属性を示す広告対象ユーザ属性情報とを含む広告関連情報を記憶する広告関連情報記憶手段を参照して、特定したユーザ情報が示すユーザの属性に合致する属性を示す広告対象ユーザ属性情報を含む広告関連情報を抽出する広告関連情報抽出処理と、
該広告関連情報抽出処理にて抽出した広告関連情報に含まれている１又は２以上の広告情報を前記ユーザ端末に提示する広告情報提示処理と、
該広告情報提示処理にて提示した広告情報のうちどの広告情報の閲覧を希望するかを示す閲覧希望通知を前記ユーザ端末から受け付ける閲覧希望通知受付処理と、
該閲覧希望通知受付処理にて閲覧希望通知を受け付けたことに応じて、閲覧希望通知によって特定される閲覧希望された広告情報を前記ユーザ端末に提供する広告情報提供処理とを
実行させるための広告情報提供プログラム。
【発明の詳細な説明】
【技術分野】
【０００１】
本発明は、ユーザ端末からの要求に応じて通信ネットワークを介して広告情報を提供するための技術に関する。
【背景技術】
【０００２】
従来から、テレビジョン放送を通じて不特定多数に対して広告を提供していたが、テレビジョン放送を通じての広告の提供では、その広告効果を正確に把握することが困難であった。近年では、インターネットなどの双方向の通信ネットワークを介してユーザ端末に対して動画等による広告を提供し、ユーザ端末にて広告が閲覧されたことを確認可能な様々な広告情報提供システムが提案されている（例えば、特許文献１−２参照）。
【先行技術文献】
【特許文献】
【０００３】
【特許文献１】特開２００４−０７０５４１号公報
【特許文献２】特開２００７−３０４６３４号公報
【発明の概要】
【発明が解決しようとする課題】
【０００４】
従来の広告情報提供システムにおいて、提供する広告を決定する場合に、閲覧する広告をユーザに選定させていくようにしたりしてユーザに探索させるようにしているため、有益な広告が探索されず有効に広告を提供することができないおそれがあるという問題があった。また、閲覧する広告を選定する作業が煩わしいという問題もあった。
【０００５】
本発明は、上記の問題を解決すべく、ユーザに煩わしい作業を強いることなく、有益な広告を選定してユーザに提案することができ、有効に広告を提供することができるようにすることを目的とする。
【課題を解決するための手段】
【０００６】
本発明の広告情報提供サーバは、ユーザ端末からの要求に応じて通信ネットワークを介して広告情報を提供する広告情報提供サーバであって、ユーザ情報を記憶するユーザ情報記憶手段と、広告情報と、該広告情報による広告の提供対象とするユーザの属性を示す広告対象ユーザ属性情報とを含む広告関連情報を記憶する広告関連情報記憶手段と、前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、該広告関連情報抽出手段によって抽出された広告関連情報に含まれている１又は２以上の広告情報を前記ユーザ端末に提示する広告情報提示手段と、該広告情報提示手段によって提示された広告情報のうちどの広告情報の閲覧を希望するかを示す閲覧希望通知を前記ユーザ端末から受け付ける閲覧希望通知受付手段と、該閲覧希望通知受付手段が閲覧希望通知を受け付けたことに応じて、閲覧希望通知によって特定される閲覧希望された広告情報を前記ユーザ端末に提供する広告情報提供手段とを含むことを特徴とする。
【０００７】
上記の構成としたことで、ユーザに煩わしい作業を強いることなく、有益な広告を選定してユーザに提案することができ、有効に広告を提供することができるようになる。
【０００８】
前記広告対象ユーザ属性情報は、広告の提供対象とするユーザの属性と、優先度とが対応付けされた情報であり、前記広告関連情報抽出手段は、ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出する構成とされていてもよい。
【０００９】
前記広告関連情報抽出手段は、広告関連情報が前記予定数以上抽出されるまで、高い優先度に順次更新される前記基準優先度を用いて広告関連情報を繰り返し抽出する構成とされていてもよい。
【００１０】
商品の購入履歴を示す商品購入履歴情報を記憶する商品購入履歴情報記憶手段と、マーケティング対象商品を受け付けるマーケティング対象商品受付手段と、前記商品購入履歴情報及びユーザ情報を参照し、前記マーケティング対象商品の販売履歴から導出可能な当該マーケティング対象商品に関する販売実績情報を示す商品販売関連情報を生成する商品販売関連情報生成手段と、前記商品販売関連情報を含むマーケティング情報を生成するマーケティング情報生成手段とを含む構成とされていてもよい。
【００１１】
前記商品販売関連情報生成手段は、前記マーケティング対象商品についての年齢別の販売数または販売割合、前記マーケティング対象商品についての年齢層毎の販売数または販売割合、前記マーケティング対象商品についての年齢別かつ男女別の販売数または販売割合、前記マーケティング対象商品についての地域別の販売数または販売割合のうちいずれかを商品販売関連情報として生成する構成とされていてもよい。
【００１２】
また、本発明の広告情報提供システムは、ユーザ端末と、該ユーザ端末からの要求に応じて通信ネットワークを介して広告情報を提供する広告情報提供サーバとを備えた広告情報提供システムであって、前記広告情報提供サーバは、ユーザ情報を記憶するユーザ情報記憶手段と、広告情報と、該広告情報による広告の提供対象とするユーザの属性を示す広告対象ユーザ属性情報とを含む広告関連情報を記憶する広告関連情報記憶手段と、前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、該広告関連情報抽出手段によって抽出された広告関連情報に含まれている１又は２以上の広告情報を前記ユーザ端末に提示する広告情報提示手段と、該広告情報提示手段によって提示された広告情報のうちどの広告情報の閲覧を希望するかを示す閲覧希望通知を前記ユーザ端末から受け付ける閲覧希望通知受付手段と、該閲覧希望通知受付手段が閲覧希望通知を受け付けたことに応じて、閲覧希望通知によって特定される閲覧希望された広告情報を前記ユーザ端末に提供する広告情報提供手段とを含むことを特徴とする。
【００１３】
さらに、本発明の広告情報提供プログラムは、ユーザ端末からの要求に応じて通信ネットワークを介して広告情報を提供させるための広告情報提供プログラムであって、コンピュータに、前記ユーザ端末からの要求に応じて、ユーザ情報を記憶するユーザ情報記憶手段に記憶された当該ユーザ情報のうち前記ユーザ端末を管理するユーザについてのユーザ情報を特定し、広告情報と、該広告情報による広告の提供対象とするユーザの属性を示す広告対象ユーザ属性情報とを含む広告関連情報を記憶する広告関連情報記憶手段を参照して、特定したユーザ情報が示すユーザの属性に合致する属性を示す広告対象ユーザ属性情報を含む広告関連情報を抽出する広告関連情報抽出処理と、該広告関連情報抽出処理にて抽出した広告関連情報に含まれている１又は２以上の広告情報を前記ユーザ端末に提示する広告情報提示処理と、該広告情報提示処理にて提示した広告情報のうちどの広告情報の閲覧を希望するかを示す閲覧希望通知を前記ユーザ端末から受け付ける閲覧希望通知受付処理と、該閲覧希望通知受付処理にて閲覧希望通知を受け付けたことに応じて、閲覧希望通知によって特定される閲覧希望された広告情報を前記ユーザ端末に提供する広告情報提供処理とを実行させるためのものである。
【発明の効果】
【００１４】
本発明によれば、ユーザに煩わしい作業を強いることなく、有益な広告を選定してユーザに提案することができ、有効に広告を提供することができるようになる。
【図面の簡単な説明】
【００１５】
【図１】本発明の一実施の形態における広告情報提供システム１００の構成の例を示すブロック図である。
【図２】ユーザ情報の例を示す説明図である。
【図３】購入・閲覧履歴情報の例を示す説明図である。
【図４】広告関連情報の例を示す説明図である。
【図５】広告提供処理の例を示すフローチャートである。
【図６】ログイン画面の例を示す説明図である。
【図７】広告一覧画面の例を示す説明図である。
【図８】広告一覧画面生成処理の例を示すフローチャートである。
【図９】マーケティング情報生成処理の例を示すフローチャートである。
【図１０】マーケティングデータの例を示す説明図である。
【図１１】マーケティングデータの例を示す説明図である。
【発明を実施するための形態】
【００１６】
以下、本発明の一実施の形態について図面を参照して説明する。
【００１７】
図１は、本発明の一実施の形態における広告情報提供システム１００の構成の例を示すブロック図である。図１に示すように、広告情報提供システム１００は、広告情報提供サーバ１０と、広告主端末２１〜２Ｎ（Ｎは任意の正の整数）と、ユーザ端末３１〜３Ｎ（Ｎは任意の正の整数）とを含む。広告情報提供サーバ１０、広告主端末２１〜２Ｎ、及びユーザ端末３０〜３Ｎは、それぞれ、インターネットなどの通信ネットワーク４０によって接続されている。
【００１８】
広告情報提供サーバ１０は、例えば本システムのシステム管理者によって管理され、例えばＷＷＷサーバなどの情報処理装置によって構成される。広告情報提供サーバ１０は、商品メーカや販売店などの広告主、広告代理店、若しくはアドミッション（Ａｄｍｉｓｓｉｏｎ：（社）日本広告業協会によって運用されているＣＭメタデータの管理／運用支援システム）等によって広告に関するデータを管理する者から提供された広告情報を蓄積し、ユーザ端末３１〜３Ｎからの要求に応じて広告情報を提供する機能などの各種の機能を有している。なお、本例の広告情報提供サーバ１０は、ＳＮＳ（Social Networking Service）を提供するための各種の機能を有しており、複数のユーザ同士がそれぞれ自己のユーザ端末３１〜３Ｎを利用して通信ネットワーク４０を介してコミュニケーションを図るためのコミュニケーションサイト（ＳＮＳサイト）を提供するサーバであるものとする。
【００１９】
広告情報提供サーバ１０は、本システムの登録ユーザに関するユーザ情報を格納するユーザＤＢ１１と、登録ユーザが商品を購入した購入履歴を示す購入履歴情報や広告を閲覧した閲覧履歴を示す広告閲覧履歴情報を含む購入・閲覧履歴情報を格納する購入・閲覧履歴ＤＢ１２と、商品やサービスの広告に関連する情報を示す広告関連情報を格納する広告関連ＤＢ１３とを備えている。ユーザＤＢ１１、購入・閲覧履歴ＤＢ１２、及び広告関連ＤＢ１３は、それぞれ、広告情報提供サーバ１０の内部に備えられていてもよいし、外部に備えられていてもよい。
【００２０】
広告主端末２１〜２Ｎは、それぞれ、本システムを利用して商品やサービスの広告を行う広告主によって管理され、例えば携帯電話端末やパーソナルコンピュータなどの情報処理装置によって構成される。
【００２１】
ユーザ端末３１〜３Ｎは、それぞれ、本システムの登録ユーザによって管理され、例えば携帯電話端末やパーソナルコンピュータなどの情報処理装置によって構成される。
【００２２】
図２は、ユーザＤＢ１１に格納されるユーザ情報の例を示す説明図である。ユーザ情報は、本システム１００の登録ユーザに関する情報であって、例えば図２に示すように、登録ユーザの氏名を示すユーザ名と、ユーザを一意に特定するためのユーザＩＤ（本例では電子メールアドレスが用いられるものとする。なお、ユーザ端末３１〜３Ｎに付与されている固有識別情報（例えば、携帯端末固有の識別情報であるＵＩＤ）を用いるようにしてもよい。）と、パスワードと、電話番号と、所在地（住所、勤務場所）と、年齢と、性別と、職業とを含む情報である。
【００２３】
図３は、購入・閲覧履歴ＤＢ１２に格納される購入・閲覧履歴情報の例を示す説明図である。購入・閲覧履歴情報は、本システム１００の登録ユーザが本システム１００を利用して取得したクーポンを使用して商品を購入（サービスを受けた場合を含む）した場合の購入履歴や登録ユーザが本システム１００を利用して広告を閲覧した場合の閲覧履歴に関する情報であって、例えば図３に示すように、ユーザ名と、ユーザＩＤと、商品購入履歴情報と、広告閲覧履歴情報と、クーポン情報と、ポイント情報と、サイトアクセス情報とを含む情報である。
【００２４】
「商品購入履歴情報」は、本システム１００の登録ユーザが本システム１００を利用して取得したクーポンを使用して商品を購入した場合の購入履歴を示す情報であって、購入商品、購入日時、購入店舗、購入金額、使用したクーポンなどの情報を含む。商品購入履歴情報は、例えば、広告情報提供サーバ１０が、商品を販売する店舗が管理する店舗端末（図示せず）から通信ネットワーク４０を介して取得するようにすればよい。なお、通信ネットワーク４０を利用することなく紙媒体にて商品購入履歴情報を各店舗又は各登録ユーザから入手し、本システム１００のシステム管理者等によって広告情報提供サーバ１０を操作して入力するようにしてもよい。
【００２５】
「広告閲覧履歴情報」は、本システム１００の登録ユーザが本システム１００を利用して広告を閲覧した場合の閲覧履歴を示す情報であって、例えば、閲覧した広告、閲覧した広告にて広告対象となっている商品の商品カテゴリ、閲覧日などの情報を含む。
【００２６】
「クーポン情報」は、本システム１００の登録ユーザが本システム１００を利用して取得したクーポンに関する情報であって、例えば、取得したクーポン、取得日などの情報を含む。なお、クーポンは、閲覧した広告において広告対象となっていた商品に使用可能（例えば、店舗にて提示することにより、割引、無料などで対象商品を所得可能）なものであって、広告を閲覧したあと、ユーザの希望に応じて付与されるものである。
【００２７】
「ポイント情報」は、本システム１００の登録ユーザが本システム１００を利用して取得したポイントに関する情報であって、例えば、保有している使用可能なポイント数、ポイント使用期限などの情報を含む。なお、ポイントは、広告情報提供サーバ１０が開設するウェブサイトへのアクセスや、広告の閲覧などによって加算され、そのサイト内などにて使用可能なものである。
【００２８】
「サイトアクセス情報」は、広告情報提供サーバ１０が広告情報の提供のために開設しているウェブサイトへのアクセスに関する情報であって、例えば、アクセス回数、アクセス日時、アクセス頻度などの情報を含む。
【００２９】
図４は、広告関連ＤＢ１３に格納される広告関連情報の例を示す説明図である。広告関連情報は、広告主が本システム１００を利用して行う広告に関連する情報であって、広告主名と、広告主を一意に特定するための広告主ＩＤと、広告に使用される広告情報と、広告対象ユーザ属性情報と、広告提供期間と、広告提供上限回数とを含む情報である。
【００３０】
「広告情報」は、広告に用いられる動画データ、静止画データ、音声データなどであり、例えば、広告主や広告制作会社などによってあらかじめ作成された情報である。
【００３１】
「広告対象ユーザ属性情報」は、広告対象とするユーザの属性（例えば、性別、所在地域、年齢層、職業ジャンル、嗜好ジャンル、購入履歴内容（具体的には、例えば、直近の所定期間内の購入数が所定数以上である商品カテゴリ）、閲覧履歴内容（具体的には、例えば、直近の所定期間内の広告情報を閲覧した回数が所定回数以上である商品カテゴリ）など）が設定された情報であって、広告対象とするユーザの属性の内容と、各属性の優先度とを含む情報である。「広告対象ユーザ属性情報」は、広告主によって指定されたものが設定されるが、システム管理者によって一部または全部が設定されていてもよい。「優先度」は、本例では、各属性の優先順位であり、広告主あるいはシステム管理者によって設定されているものとする。具体的には、例えば７個の属性がある場合には、各属性に対して、優先度の高い属性から順番に優先度１〜７が設定される。
【００３２】
「広告提供期間」は、該当広告の提供期間を意味する。「広告提供上限回数」は、該当広告を提供する上限の回数を意味する。「広告提供期間」や「広告提供上限回数」は、広告主によって指定されたものが設定されるが、システム管理者によって設定されていてもよい。
【００３３】
次に、本例の広告情報提供システム１００の動作について説明する。
図５は、本例の広告情報提供システム１００における広告提供処理の例を示すフローチャートである。ここでは、ユーザＡが管理するユーザ端末３１からの要求に応じて、後述する広告一覧画面を生成して提供し、ユーザＡが選択した広告を示す広告情報を提供する場合を例に説明する。なお、本発明に関係しない処理については、その内容を省略している場合がある。
【００３４】
広告提供処理において、先ず、ユーザ端末３１は、ユーザＡの操作に応じて、広告情報提供サーバ１０が開設している広告提供サイト（広告情報の提供を行う機能を有するウェブサイト）のＵＲＬを指定して、その広告提供サイトにアクセスする（ステップＳ１０１）。
【００３５】
広告情報提供サーバ１０は、ユーザ端末３１からの広告提供サイトへのアクセスを受けたことに応じて、ログイン画面をユーザ端末３１に送信する（ステップＳ１０２）。
【００３６】
ユーザ端末３１は、広告情報提供サーバ１０から受信したログイン画面を自己が備える表示装置に表示する（ステップＳ１０３）。図６は、ログイン画面の例を示す説明図である。図６に示すように、ログイン画面には、ユーザ登録済のユーザがログインするためのログイン情報としてユーザＩＤ及びパスワードを入力する入力領域１０１と、ユーザ登録されていない新規のユーザがログインするためのログイン情報として氏名及び住所（所在地）等を入力する入力領域１０２と、ログイン情報が入力されたあとログインする際に押下されるログインボタン１０３とが設けられている。なお、新規のユーザがログインするためのログイン情報には、例えば、ユーザＩＤ（電子メールアドレス）、性別、サイト内での表示名、年齢、生年月日等のユーザ情報として登録される各種の情報が含まれる。また、パスワードを忘れた登録ユーザのために、ログイン画面上で例えば生年月日の入力を受け付け、広告情報提供サーバ１０が、受け付けた生年月日により認証を行った上でパスワードを通知するようにしてもよい。
【００３７】
ユーザ端末３１は、ユーザＡの入力装置（例えばキーボード、ボタンなど）の操作により入力されたログイン情報を受け付け（ステップＳ１０４）、該当する入力領域に受け付けたログイン情報を表示する。例えば、ユーザＡが新規ユーザであった場合には、入力されたユーザＡの氏名や住所等を入力領域１０２に表示する。
【００３８】
そして、ユーザ端末３１は、ユーザＡの入力装置の操作によるログインボタン１０３の押下を受け付けると、ステップＳ１０４にて受け付けたログイン情報を広告情報提供サーバ１０に送信する（ステップＳ１０５）。
【００３９】
広告情報提供サーバ１０は、ユーザ端末３１からのログイン情報を受信すると、ログイン情報がユーザＩＤであった場合にはユーザＤＢ１１を参照してユーザ認証を行い、ログイン情報が氏名及び住所であった場合にはユーザ情報を新規に登録するユーザ登録処理を行う（ステップＳ１０６）。ユーザ登録が行われる場合、氏名がユーザ名として登録され、電子メールアドレスがユーザＩＤとして登録される。
【００４０】
次に、広告情報提供サーバ１０は、ステップＳ１０６にて認証あるいは新規登録したユーザＡに提示する広告一覧画面を生成し（ステップＳ１０７）、生成した広告一覧画面をユーザ端末３１に送信する（ステップＳ１０８）。ステップＳ１０７の処理は、後で詳しく説明する。
【００４１】
ユーザ端末３１は、広告情報提供サーバ１０から受信した広告一覧画面を自己が備える表示装置に表示する（ステップＳ１０９）。図７は、広告一覧画面の例を示す説明図である。図７に示すように、広告一覧画面には、ユーザＡに対して閲覧を提案する広告のサムネイルを表示する表示領域２０１と、サムネイルが表示されている広告を閲覧する際に押下されるサムネイル上に配置されている閲覧ボタン２０２ａａ〜２０２ｃａと、サムネイルが表示されている広告を閲覧する際に押下されるサムネイル付近に配置されている閲覧ボタン２０２ａｂ〜２０２ｃｂと、ユーザＡに対して閲覧を提案する広告のうちサムネイルが表示されている広告以外の広告のタイトル（例えば商品名、商品製造会社名）が表示される表示領域２０３と、閲覧頻度の高い広告が閲覧ランキングとして表示される表示領域２０４とが設けられている。なお、表示領域２０４は設けられていなくてもよい。
【００４２】
ユーザ端末３１は、ユーザＡの入力装置（例えばキーボード、ボタン、マウスなど）の操作により表示領域２０１、表示領域２０３、あるいは表示領域２０４にて閲覧を希望する広告が選択されると、その選択を受け付け（ステップＳ１１０）、選択された広告を広告情報提供サーバ１０に通知する（ステップＳ１１１）。
【００４３】
広告情報提供サーバ１０は、ユーザ端末３１から選択された広告の通知（閲覧希望通知）を受けると、通知を受けた広告の広告情報をユーザ端末３１に提供する（ステップＳ１１２）。
【００４４】
ユーザ端末３１は、広告情報を受信すると、受信した広告情報が示す広告を表示（動画であれば再生）する広告画面を表示する（ステップＳ１１３）。
【００４５】
上記のようにして、ユーザＡが管理するユーザ端末３１からの要求に応じて、広告情報提供サーバ１０が、ユーザＡに対して閲覧候補とする広告を提示し、ユーザＡによって選択された広告を示す広告情報を提供する処理が実行される。
【００４６】
次に、広告情報提供サーバ１０が実行する広告一覧画面生成処理（ステップＳ１０７）について詳しく説明する。図８は、広告一覧画面生成処理の例を示すフローチャートである。なお、本発明に関係しない処理については、その内容を省略している場合がある。
【００４７】
広告一覧画面生成処理において、広告情報提供サーバ１０は、先ず、ステップＳ１０６にてユーザ認証またはユーザ登録したユーザＡのユーザ情報を確認し（ステップＳ２０１）、特定したユーザ情報が示すユーザＡの属性（例えば、所在地、年齢、性別、職業等）に合致する属性（例えば、所在地エリア、年齢範囲、性別、職業ジャンル等）を示す広告対象ユーザ属性情報を含む広告関連情報を抽出する（ステップＳ２０２）。
【００４８】
具体的には、ユーザ情報が示すユーザＡの属性が図２に示すような内容であった場合には、ステップＳ２０２にて、所在地エリアが中央区、東京都、関東地方であり、年齢範囲が３０代であり、性別が男性あるいは不問であるような広告対象ユーザ属性情報を含む広告関連情報が抽出される。すなわち、ユーザ情報が示すユーザＡの属性の内容に、例えば広告主あるいはシステム管理者によって設定された属性の内容が合致している場合に、その合致している属性内容が設定されている広告対象ユーザ属性情報を含む広告関連情報が抽出される。
【００４９】
ステップＳ２０２にて広告関連情報を抽出すると、広告情報提供サーバ１０は、抽出した広告関連情報が予定数（例えば７個）以上であるか否か確認し（ステップＳ２０３）、予定数以上でない場合（予定数未満である場合）には、広告関連情報における広告対象ユーザ属性情報に設定されている属性のうち優先度が低い属性を判断対象から除外して、ステップＳ２０２と同様にして再度広告関連情報を抽出する（ステップＳ２０４）。
【００５０】
ステップＳ２０４では、広告情報提供サーバ１０は、直前に実行した前回の抽出処理にて有効であった優先度のうち最も低い優先度の属性を除外して、前回までに抽出した広告関連情報以外の広告関連情報であって、ユーザ情報が示すユーザＡの属性のうち判断対象とする属性に合致する属性を示す広告対象ユーザ属性情報を含む広告関連情報を抽出する処理を行う。そして、ステップＳ２０４にて抽出した広告関連情報を加算しても未だ抽出した広告関連情報の総数が予定数以上でない場合には、再度ステップＳ２０４の処理を繰り返す。この際、前回の抽出処理にて有効であった優先度のうち最も低い優先度の属性がさらに除外される。このようにして、広告関連情報の総数が予定数以上となるまでステップＳ２０４の処理が繰り返される。
【００５１】
よって、例えば、７個ある各属性に優先度の高い方から優先度１〜７が付与されていた場合には、ステップＳ２０２にて７個全ての属性が判断対象とされ、その後のステップＳ２０４では、優先度が低い優先度７の属性から順次除外されていきながら抽出数が予定数以上となるまで繰り返し広告関連情報の抽出処理が実行されることになる。
【００５２】
抽出した広告関連情報が予定数以上であれば（ステップＳ２０３のＹ）、広告情報提供サーバ１０は、抽出した広告関連情報が予定数を超えている場合には、広告関連情報が予定数となるように絞り込む処理を行う（ステップＳ２０５）。ステップＳ２０５では、例えばランダムに選択するようにすればよい。なお、ステップＳ２０４にて抽出された広告関連情報が存在する場合には、最後にステップＳ２０４にて抽出された広告関連情報の何れかを除外することによって、予定数の広告関連情報に絞り込むようにすればよい。
【００５３】
予定数の広告関連情報を選定すると、広告情報提供サーバ１０は、選定した広告関連情報のうち特定数（例えば３個）の広告関連情報をさらに選定し、特定数の広告関連情報に含まれる広告情報が示す広告をサムネイル表示する表示領域２０１と、その他の広告関連情報に含まれる広告情報が示す広告を表示する表示領域２０３とを含む広告一覧画面（図７参照）を生成する（ステップＳ２０７）。特定数の広告関連情報の選定は、抽出の際に考慮された属性が多いほどより優先して選定されるようにし、ステップＳ２０２にて全ての属性を考慮して抽出された広告関連情報を最優先として選定するようにすればよい。
【００５４】
上記のようにして、広告情報提供サーバ１０が、ユーザＡに対して閲覧候補とする広告を選定し、選定した広告を提示する広告一覧画面を生成する処理が実行される。
【００５５】
なお、上記の例では、複数（予定数（例えば７個））の広告関連情報を選定する構成としていたが、１つの広告関連情報のみを選定するようにしてもよい。この場合、予定数を１個とし、ステップＳ２０５にて１個の広告関連情報に絞り込むようにすればよい。なお、予定数を１個とする場合には、広告一覧画面に１個の広告のサムネイルのみが表示されることになる。そして、ユーザによって選択されたことに応じて、あるいは自動的に、広告情報を提供するようにすればよい。自動的に広告を提供する場合には、広告一覧画面を表示することなく、広告画面を表示するようにしてもよい。
【００５６】
次に、広告情報提供サーバ１０が実行するマーケティング情報生成処理について説明する。図９は、マーケティング情報生成処理の例を示すフローチャートである。なお、本発明に関係しない処理については、その内容を省略している場合がある。
【００５７】
マーケティング情報生成処理において、広告情報提供サーバ１０は、先ず、マーケティングの対象とする商品（マーケティング対象商品）を受け付ける（ステップＳ３０１）。マーケティング対象商品は、例えば、商品の製造者や販売者などの商品に係わる者からの依頼に応じて、サーバ１０を操作するオペレータによって指定される。
【００５８】
マーケティング対象商品を受け付けると、広告情報提供サーバ１０は、購入・閲覧履歴情報に含まれている商品購入履歴情報と、ユーザ情報とを参照し、マーケティング対象商品についての商品販売関連情報を生成する（ステップＳ３０２）。「商品販売関連情報」は、マーケティング対象商品の販売履歴から導出可能なマーケティング対象商品に関する販売実績情報であって、例えば、年齢別の販売数や販売割合、年齢層毎の販売数や販売割合、年齢別かつ男女別の販売数や販売割合、所在地域別（居住地域別）の販売数または販売割合などが該当する。
【００５９】
次いで、広告情報提供サーバ１０は、生成した商品購入履歴情報を解析し、注目情報を特定する（ステップＳ３０３）。「注目情報」は、マーケティング情報として注目すべき情報を意味し、例えば、二つの商品の販売実績に開きがある年齢あるいは年齢層、総人口割合と販売実績割合との間に開きがある年齢あるいは年齢層などが該当する。
【００６０】
次いで、広告情報提供サーバ１０は、特定した注目情報の種類に応じて、あらかじめ用意されているコメントの中から採用するコメントを選択する（ステップＳ３０４）。例えば、注目情報が示す年齢層の販売状況の種類に応じて、販売状況が良好であることを示すコメント、販売状況から改善案を示すコメントなどがあらかじめ用意されており、ステップＳ３０４にて、注目情報の内容に応じて自動的に適切なコメントが選択される。
【００６１】
そして、広告情報提供サーバ１０は、生成した商品販売関連情報と、特定した注目情報を報知するための注目情報報知情報と、選択したコメントとを含むマーケティング情報を生成し（ステップＳ３０５）、生成したマーケティング情報を自己が備える表示装置に表示する（ステップＳ３０６）。
【００６２】
図１０は、マーケティング情報の例を示す説明図である。図１０に示す例では、マーケティング情報として、マーケティング対象商品の購入者の年齢別割合を示す購入者分布と、総人口の年齢別割合を示す人口分布とがグラフ化して表示され、総人口の年齢別割合よりも高い割合で販売されている年齢範囲を示す注目情報報知情報Ｐと、総人口の年齢別割合よりも低い割合でしか販売されていない年齢範囲を示す注目情報報知情報Ｑとが表示されている。なお、図１０には示されていないが、注目情報報知情報Ｐに対応する「Ｐの年齢層に対しては売れ行き良好です。」といったコメントや、注目情報報知情報Ｑに対応する「高齢者に対する売れ行きが好ましくないようです。高齢者に対するアピールを試みましょう」といったコメントがマーケティング情報として表示される。
【００６３】
図１１は、マーケティング情報の他の例を示す説明図である。図１１に示す例では、マーケティング情報として、マーケティング対象商品Ａの購入者の年齢層別の販売数割合を示す販売数分布と、マーケティング対象商品Ｂの購入者の年齢層別の販売数割合を示す販売数分布とがグラフ化して表示され、マーケティング対象商品Ａとマーケティング対象商品Ｂの販売数が逆転している年齢範囲を示す注目情報報知情報Ｒが表示されている。なお、図１１には示されていないが、注目情報報知情報Ｒに対応する「マーケティング対象商品Ａはマーケティング対象商品Ｂと比較して高齢者層に対する売れ行きが好ましくないようです。高齢者に対するアピールを試みましょう」といったコメントがマーケティング情報として表示される。
【００６４】
上記のようにして、購入・閲覧履歴情報に含まれている商品購入履歴情報に基づいてマーケティング情報が生成される。なお、コメントは、その内容がシステム管理者によって修正・補完されるようにしてもよい。生成されたマーケティング情報は、通信ネットワーク４０を介して、あるいは紙媒体で、マーケティング情報の提供を希望するマーケティング対象商品の製造者や販売者などに提供される。
【００６５】
以上に説明したように、上述した実施の形態では、ユーザ端末３１〜３Ｎからの要求に応じて通信ネットワーク４０を介して広告情報を提供する広告情報提供サーバ１０が、ユーザ情報を記憶するユーザＤＢ１１と、広告情報と、その広告情報による広告の提供対象とするユーザの属性を示す広告対象ユーザ属性情報とを含む広告関連情報を記憶する広告関連ＤＢ１２とを備え、ユーザ端末３１からの要求に応じて、ユーザＤＢ１１に記憶されたユーザ情報のうちユーザ端末３１を管理するユーザＡについてのユーザ情報を特定し、特定したユーザ情報が示すユーザＡの属性に合致する属性を示す広告対象ユーザ属性情報を含む広告関連情報を抽出し、抽出した広告関連情報に含まれている１又は２以上の広告情報をユーザ端末３１に提示し、提示した広告情報のうちどの広告情報の閲覧を希望するかを示す閲覧希望通知をユーザ端末３１から受け付け、この閲覧希望通知を受け付けたことに応じて、閲覧希望通知によって特定される閲覧希望された広告情報をユーザ端末３１に提供する構成としているので、ユーザに煩わしい作業を強いることなく、有益な広告を選定してユーザに提案することができ、有効に広告を提供することができるようになる。
【００６６】
すなわち、ユーザ情報が示すユーザＡの属性に合致する属性を示す広告対象ユーザ属性情報を含む広告関連情報を抽出し、抽出した広告関連情報に含まれている広告情報をユーザ端末３１に提示する構成としているので、広告対象ユーザ属性情報が示す属性に合致するユーザからの要求があったときにのみ、その広告対象ユーザ属性情報を含む広告関連情報が抽出され提示されるようにすることができ、広告主などの広告対象ユーザ属性情報を指定した者のターゲットとなっているユーザに対してのみ該当する広告を提示して閲覧の提案を行うことができるようになる。このため、有益な広告を選定してユーザに提案することができ、有効に広告を提供することができるようになる。また、サーバ１０側で自動的にユーザに合った広告を選定するため、ユーザに煩わしい作業を強いることがなくなる。
【００６７】
また、上述した実施の形態では、広告対象ユーザ属性情報は、広告の提供対象とするユーザの属性と、優先度とが対応付けされた情報であり、広告情報提供サーバ１０が、ユーザ情報が示すユーザの属性に合致する属性を示す広告対象ユーザ属性情報を含む広告関連情報が予定数以上抽出されなかった場合に、対応付けされた優先度が所定の基準優先度（前回の抽出処理時の基準優先度よりも１段階高められた優先度であり、初期値は最も低い優先度と同じ優先度とされる）よりも低い属性を除外して、ユーザ情報が示すユーザの属性に合致する属性を示す広告対象ユーザ属性情報を含む広告関連情報をさらに抽出する構成としているので、ユーザ情報が示すユーザの属性に完全に合致する属性を示す広告対象ユーザ属性情報が存在しないか、存在するものが少なかった場合でも、可能な限り有益な広告を選定してユーザに提案することができ、有効に広告を提供することができるようになる。また、ユーザに煩わしい作業を強いることがなくなる。
【００６８】
また、上述した実施の形態では、広告情報提供サーバ１０が、広告関連情報が予定数以上抽出されるまで、高い優先度に順次更新される基準優先度を用いて広告関連情報を繰り返し抽出する構成としているので、優先度が低い属性を除外してもなお、ユーザ情報が示すユーザの属性に合致する属性を示す広告対象ユーザ属性情報が存在しないか、存在するものが少なかった場合でも、可能な限り有益な広告を選定してユーザに提案することができ、有効に広告を提供することができるようになる。また、ユーザに煩わしい作業を強いることがなくなる。
【００６９】
また、上述した実施の形態では、広告情報提供サーバ１０が、商品の購入履歴を示す商品購入履歴情報を記憶する購入・閲覧履歴ＤＢ１２を備え、マーケティング対象商品を受け付け、商品購入履歴情報及びユーザ情報を参照し、マーケティング対象商品の販売履歴から導出可能なそのマーケティング対象商品に関する販売実績情報を示す商品販売関連情報を生成し、商品販売関連情報を含むマーケティング情報を生成する構成としたので、商品購入履歴情報を利用してマーケティングに役立つマーケティング情報を簡単に生成することができるようになる。
【００７０】
また、上述した実施の形態では、広告情報提供サーバ１０が、マーケティング対象商品についての年齢別の販売数または販売割合、マーケティング対象商品についての年齢層毎の販売数または販売割合、マーケティング対象商品についての年齢別かつ男女別の販売数または販売割合、マーケティング対象商品についての地域別の販売数または販売割合のうちいずれかを商品販売関連情報として生成する構成としたので、商品購入履歴情報を利用したマーケティングに役立つ様々な様式のマーケティング情報を簡単に生成することができるようになる。
【００７１】
なお、上述した実施の形態では、ユーザ情報が示すユーザＡの属性を判断対象として用いる構成としていたが、ユーザ情報が示すユーザＡの属性に加えて、あるいはユーザ情報が示すユーザＡの属性に換えて、購入・閲覧履歴情報が示すユーザＡの属性を判断対象とするようにしてもよい。すなわち、例えば、ユーザ情報や購入・閲覧履歴情報が示すユーザＡの属性の内容に、例えば広告主あるいはシステム管理者によって設定された属性の内容が合致している場合に、その合致している属性内容が設定されている広告対象ユーザ属性情報を含む広告関連情報が抽出されるようにしてもよい。このように構成すれば、例えば、ある商品カテゴリの商品の購入頻度が高いユーザである場合や、ある商品カテゴリの商品の広告の閲覧頻度が高いユーザである場合にのみ属性の内容が合致する広告対象ユーザ属性情報を含む広告関連情報を抽出することができるようになる。
【００７２】
なお、上述した実施の形態では、広告情報提供サーバ１０は、自己が備える記憶装置に記憶されている制御プログラム（広告情報提供プログラム）に従って、上述した各種の処理を実行する。
【産業上の利用可能性】
【００７３】
本発明によれば、ユーザに煩わしい作業を強いることなく、有益な広告を選定してユーザに提案し、有効に広告を提供するのに有用である。
【符号の説明】
【００７４】
１０          広告情報提供サーバ
１１          ユーザＤＢ
１２          購入・閲覧履歴ＤＢ
１３          広告関連ＤＢ
２１〜２Ｎ    広告主端末
３１〜３Ｎ    ユーザ端末
４０          通信ネットワーク
１００        広告情報提供システム
【図１】
2011065531.tif 000003
【図２】
2011065531.tif 000004
【図３】
2011065531.tif 000005
【図４】
2011065531.tif 000006
【図５】
2011065531.tif 000007
【図６】
2011065531.tif 000008
【図７】
2011065531.tif 000009
【図８】
2011065531.tif 000010
【図９】
2011065531.tif 000011
【図１０】
2011065531.tif 000012
【図１１】
2011065531.tif 000013
【手続補正書】
【提出日】平成21年12月15日(2009.12.15)
【手続補正１】
【補正対象書類名】明細書
【補正対象項目名】０００６
【補正方法】変更
【補正の内容】
【０００６】
本発明の広告情報提供サーバは、ユーザ端末からの要求に応じて通信ネットワークを介して広告情報を提供する広告情報提供サーバであって、ユーザ情報を記憶するユーザ情報記憶手段と、広告情報と、該広告情報による広告の提供対象とするユーザの属性を示す広告対象ユーザ属性情報とを含む広告関連情報を記憶する広告関連情報記憶手段と、前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、該広告関連情報抽出手段によって抽出された広告関連情報に含まれている1又は2以上の広告情報を前記ユーザ端末に提示する広告情報提示手段と、該広告情報提示手段によって提示された広告情報のうちどの広告情報の閲覧を希望するかを示す閲覧希望通知を前記ユーザ端末から受け付ける閲覧希望通知受付手段と、該閲覧希望通知受付手段が閲覧希望通知を受け付けたことに応じて、閲覧希望通知によって特定される閲覧希望された広告情報を前記ユーザ端末に提供する広告情報提供手段とを含み、前記広告対象ユーザ属性情報は、広告の提供対象とするユーザの属性と、優先度とが対応付けされた情報であり、前記広告関連情報抽出手段は、ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出し、広告関連情報が前記予定数以上抽出されるまで、最も低い優先度を初期値とし高い優先度に順次更新される前記基準優先度を用いて広告関連情報を繰り返し抽出することを特徴とする。
【手続補正２】
【補正対象書類名】明細書
【補正対象項目名】０００８
【補正方法】変更
【補正の内容】
【０００８】
前記広告対象ユーザ属性情報が示すユーザの属性には、例えば、性別、所在地域、年齢層、職業ジャンル、嗜好ジャンル、購入商品の履歴を示す購入履歴内容、広告情報の閲覧履歴を示す閲覧履歴内容のうち少なくとも１つを含む。
【手続補正３】
【補正対象書類名】明細書
【補正対象項目名】０００９
【補正方法】削除
【補正の内容】
【手続補正４】
【補正対象書類名】明細書
【補正対象項目名】００１２
【補正方法】変更
【補正の内容】
【００１２】
また、本発明の広告情報提供システムは、ユーザ端末と、該ユーザ端末からの要求に応じて通信ネットワークを介して広告情報を提供する広告情報提供サーバとを備えた広告情報提供システムであって、前記広告情報提供サーバは、ユーザ情報を記憶するユーザ情報記憶手段と、広告情報と、該広告情報による広告の提供対象とするユーザの属性を示す広告対象ユーザ属性情報とを含む広告関連情報を記憶する広告関連情報記憶手段と、前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、該広告関連情報抽出手段によって抽出された広告関連情報に含まれている1又は2以上の広告情報を前記ユーザ端末に提示する広告情報提示手段と、該広告情報提示手段によって提示された広告情報のうちどの広告情報の閲覧を希望するかを示す閲覧希望通知を前記ユーザ端末から受け付ける閲覧希望通知受付手段と、該閲覧希望通知受付手段が閲覧希望通知を受け付けたことに応じて、閲覧希望通知によって特定される閲覧希望された広告情報を前記ユーザ端末に提供する広告情報提供手段とを含み、前記広告対象ユーザ属性情報は、広告の提供対象とするユーザの属性と、優先度とが対応付けされた情報であり、前記広告関連情報抽出手段は、ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出し、広告関連情報が前記予定数以上抽出されるまで、最も低い優先度を初期値とし高い優先度に順次更新される前記基準優先度を用いて広告関連情報を繰り返し抽出することを特徴とする。
【手続補正５】
【補正対象書類名】明細書
【補正対象項目名】００１３
【補正方法】変更
【補正の内容】
【００１３】
さらに、本発明の広告情報提供プログラムは、ユーザ端末からの要求に応じて通信ネットワークを介して広告情報を提供させるための広告情報提供プログラムであって、コンピュータに、前記ユーザ端末からの要求に応じて、ユーザ情報を記憶するユーザ情報記憶手段に記憶された当該ユーザ情報のうち前記ユーザ端末を管理するユーザについてのユーザ情報を特定し、広告情報と、該広告情報による広告の提供対象とするユーザの属性を示す広告対象ユーザ属性情報とを含む広告関連情報を記憶する広告関連情報記憶手段を参照して、特定したユーザ情報が示すユーザの属性に合致する属性を示す広告対象ユーザ属性情報を含む広告関連情報を抽出する広告関連情報抽出処理と、該広告関連情報抽出処理にて抽出した広告関連情報に含まれている1又は2以上の広告情報を前記ユーザ端末に提示する広告情報提示処理と、該広告情報提示処理にて提示した広告情報のうちどの広告情報の閲覧を希望するかを示す閲覧希望通知を前記ユーザ端末から受け付ける閲覧希望通知受付処理と、該閲覧希望通知受付処理にて閲覧希望通知を受け付けたことに応じて、閲覧希望通知によって特定される閲覧希望された広告情報を前記ユーザ端末に提供する広告情報提供処理とを実行させ、前記広告対象ユーザ属性情報は、広告の提供対象とするユーザの属性と、優先度とが対応付けされた情報であり、前記広告関連情報抽出処理にて、ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出する処理を実行させ、広告関連情報が前記予定数以上抽出されるまで、最も低い優先度を初期値とし高い優先度に順次更新される前記基準優先度を用いて広告関連情報を繰り返し抽出する処理を実行させるためのものである。
【手続補正６】
【補正対象書類名】特許請求の範囲
【補正対象項目名】全文
【補正方法】変更
【補正の内容】
【特許請求の範囲】
【請求項１】
ユーザ端末からの要求に応じて通信ネットワークを介して広告情報を提供する広告情報提供サーバであって、
ユーザ情報を記憶するユーザ情報記憶手段と、
広告情報と、該広告情報による広告の提供対象とするユーザの属性を示す広告対象ユーザ属性情報とを含む広告関連情報を記憶する広告関連情報記憶手段と、
前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、
該広告関連情報抽出手段によって抽出された広告関連情報に含まれている1又は2以上の広告情報を前記ユーザ端末に提示する広告情報提示手段と、
該広告情報提示手段によって提示された広告情報のうちどの広告情報の閲覧を希望するかを示す閲覧希望通知を前記ユーザ端末から受け付ける閲覧希望通知受付手段と、
該閲覧希望通知受付手段が閲覧希望通知を受け付けたことに応じて、閲覧希望通知によって特定される閲覧希望された広告情報を前記ユーザ端末に提供する広告情報提供手段とを含み、
前記広告対象ユーザ属性情報は、広告の提供対象とするユーザの属性と、優先度とが対応付けされた情報であり、
前記広告関連情報抽出手段は、
ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出し、
広告関連情報が前記予定数以上抽出されるまで、最も低い優先度を初期値とし高い優先度に順次更新される前記基準優先度を用いて広告関連情報を繰り返し抽出する
ことを特徴とする広告情報提供サーバ。
【請求項２】
前記広告対象ユーザ属性情報が示すユーザの属性には、性別、所在地域、年齢層、職業ジャンル、嗜好ジャンル、購入商品の履歴を示す購入履歴内容、広告情報の閲覧履歴を示す閲覧履歴内容のうち少なくとも１つを含む
請求項１記載の広告情報提供サーバ。
【請求項３】
商品の購入履歴を示す商品購入履歴情報を記憶する商品購入履歴情報記憶手段と、
マーケティング対象商品を受け付けるマーケティング対象商品受付手段と、
前記商品購入履歴情報及びユーザ情報を参照し、前記マーケティング対象商品の販売履歴から導出可能な当該マーケティング対象商品に関する販売実績情報を示す商品販売関連情報を生成する商品販売関連情報生成手段と、
前記商品販売関連情報を含むマーケティング情報を生成するマーケティング情報生成手段とを含む
請求項１または請求項２記載の広告情報提供サーバ。
【請求項４】
前記商品販売関連情報生成手段は、前記マーケティング対象商品についての年齢別の販売数または販売割合、前記マーケティング対象商品についての年齢層毎の販売数または販売割合、前記マーケティング対象商品についての年齢別かつ男女別の販売数または販売割合、前記マーケティング対象商品についての地域別の販売数または販売割合のうちいずれかを商品販売関連情報として生成する
請求項３記載の広告情報提供サーバ。
【請求項５】
ユーザ端末と、該ユーザ端末からの要求に応じて通信ネットワークを介して広告情報を提供する広告情報提供サーバとを備えた広告情報提供システムであって、
前記広告情報提供サーバは、
ユーザ情報を記憶するユーザ情報記憶手段と、
広告情報と、該広告情報による広告の提供対象とするユーザの属性を示す広告対象ユーザ属性情報とを含む広告関連情報を記憶する広告関連情報記憶手段と、
前記ユーザ端末からの要求に応じて、前記ユーザ情報記憶手段に記憶されたユーザ情報のうち前記ユーザ端末を管理するユーザについてのユーザ情報を特定し、特定したユーザ情報が示すユーザの属性に合致する属性を示す広告対象ユーザ属性情報を含む広告関連情報を抽出する広告関連情報抽出手段と、
該広告関連情報抽出手段によって抽出された広告関連情報に含まれている1又は2以上の広告情報を前記ユーザ端末に提示する広告情報提示手段と、
該広告情報提示手段によって提示された広告情報のうちどの広告情報の閲覧を希望するかを示す閲覧希望通知を前記ユーザ端末から受け付ける閲覧希望通知受付手段と、
該閲覧希望通知受付手段が閲覧希望通知を受け付けたことに応じて、閲覧希望通知によって特定される閲覧希望された広告情報を前記ユーザ端末に提供する広告情報提供手段とを含み、
前記広告対象ユーザ属性情報は、広告の提供対象とするユーザの属性と、優先度とが対応付けされた情報であり、
前記広告関連情報抽出手段は、
ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出し、
広告関連情報が前記予定数以上抽出されるまで、最も低い優先度を初期値とし高い優先度に順次更新される前記基準優先度を用いて広告関連情報を繰り返し抽出する
ことを特徴とする広告情報提供システム。
【請求項６】
ユーザ端末からの要求に応じて通信ネットワークを介して広告情報を提供させるための広告情報提供プログラムであって、
コンピュータに、
前記ユーザ端末からの要求に応じて、ユーザ情報を記憶するユーザ情報記憶手段に記憶された当該ユーザ情報のうち前記ユーザ端末を管理するユーザについてのユーザ情報を特定し、広告情報と、該広告情報による広告の提供対象とするユーザの属性を示す広告対象ユーザ属性情報とを含む広告関連情報を記憶する広告関連情報記憶手段を参照して、特定したユーザ情報が示すユーザの属性に合致する属性を示す広告対象ユーザ属性情報を含む広告関連情報を抽出する広告関連情報抽出処理と、
該広告関連情報抽出処理にて抽出した広告関連情報に含まれている1又は2以上の広告情報を前記ユーザ端末に提示する広告情報提示処理と、
該広告情報提示処理にて提示した広告情報のうちどの広告情報の閲覧を希望するかを示す閲覧希望通知を前記ユーザ端末から受け付ける閲覧希望通知受付処理と、
該閲覧希望通知受付処理にて閲覧希望通知を受け付けたことに応じて、閲覧希望通知によって特定される閲覧希望された広告情報を前記ユーザ端末に提供する広告情報提供処理とを実行させ、
前記広告対象ユーザ属性情報は、広告の提供対象とするユーザの属性と、優先度とが対応付けされた情報であり、
前記広告関連情報抽出処理にて、
ユーザ情報が示すユーザの属性に合致する属性を示す広告対象ユーザ属性情報を含む広告関連情報が予定数以上抽出されなかった場合に、対応付けされた優先度が所定の基準優先度よりも低い属性を除外して、ユーザ情報が示すユーザの属性に合致する属性を示す広告対象ユーザ属性情報を含む広告関連情報をさらに抽出する処理を実行させ、
広告関連情報が前記予定数以上抽出されるまで、最も低い優先度を初期値とし高い優先度に順次更新される前記基準優先度を用いて広告関連情報を繰り返し抽出する処理を
実行させるための広告情報提供プログラム。